(57)【特許請求の範囲】
【請求項１】
建物の基礎の少なくとも外面に、保護部材を脱離可能に取り付ける基礎の保護方法であって、
前記保護部材の上部を、基礎の上部に脱離可能に係止するとともに、前記保護部材の下部を土中に挿入することを特徴とする基礎の保護方法。
【請求項２】
建物の基礎に埋設される挿入片と、保護部材の上部を係止する係止片とを有し、前記挿入片と係止片とが幅狭の脆弱部により連結されていることを特徴とする基礎保護部材の係止金具。
【発明の詳細な説明】
【０００１】
【発明の属する技術分野】
この発明は、建物の工事等の間に基礎の表面を保護する方法、ならびに基礎の表面を保護する部材の上部を基礎に係止するための係止金具に関する。
【０００２】
【従来の技術】
建物の基礎としては、一般に、基礎コンクリートの外側表面にモルタル仕上げを施したもの等が長年実施されているが、このようなやや無味乾燥な基礎であっても、建物の外観やシルエットに対して違和感があるというような指摘がなされることは少なかったため、基礎の外観等にはあまり配慮がなされない傾向にあった。
【０００３】
しかしながら、近年の需要者の要望の多様化に伴って、基礎の外観を向上させることが要望されてきてきており、これに対応するために、基礎コンクリートの打設に用いる型枠の内面に凹凸模様を形成しておく方法や、あるいは表面に凹凸模様を形成した発泡ポリスチレン製の模様板を型枠の内面に固定しておく方法等により、基礎の表面に凹凸模様を転写形成し、これによって基礎の外観を向上させることが提案されている。
【０００４】
本発明者等も、表裏面に凹凸形状を有する非発泡の合成樹脂薄板を型枠の内面に固定しておくことによって基礎コンクリートの表面に凹凸形状を形成する方法を提案している（特願平７−２３０９８号）。
【０００５】
【発明が解決しようとする課題】
ところで、建物の工事期間中には、雨による泥はねや、直射日光、寒風、建物の施工作業等によって基礎が汚れや損傷を受けることも多いが、前記のようにコンクリートの表面にモルタル仕上げを施すような場合には、建物の躯体工事が完了した後の仕上げ段階でモルタル仕上げを施せばよいので、工事期間中に基礎を上記のような汚れや損傷から保護することは殆ど考慮されていなかった。
【０００６】
これに対し、前記したように基礎に凹凸模様を形成している場合や、基礎コンクリート自体の素材感を生かそうとするような場合には、基礎に汚れや損傷が生じると、後でこれを除去するのに多くの手間を要することになることから、工事期間中に汚れや損傷から基礎を十分に保護しておくことが要望される。
【０００７】
この発明は、以上の点に鑑み、建物の基礎を汚れや損傷から十分に保護することのできる方法を提供することを目的とする。
【０００８】
また、この発明は、基礎に保護部材を容易に着脱することができる係止金具を提供することを目的とする。
【０００９】
【課題を解決するための手段】
上記目的を達成するためになされたこの発明の請求項１記載の基礎の保護方法は、建物の基礎の少なくとも外面に、保護部材を脱離可能に取り付ける基礎の保護方法であって、前記保護部材の上部を、基礎の上部に脱離可能に係止するとともに、前記保護部材の下部を土中に挿入することを特徴とするものである。
【００１０】
また、この発明の請求項２記載の基礎保護部材の係止金具は、建物の基礎に埋設される挿入片と、保護部材の上部を係止する係止片とを有し、前記挿入片と係止片とが幅狭の脆弱部により連結されていることを特徴とするものである。
【００１１】
【発明の実施の形態】
図１は、この発明の基礎の保護方法の一実施形態を示す概略断面図である。同図においては、建物の基礎１の外面（屋外側表面）１Ｃに、保護部材２が取り付けられている。
【００１２】
ここに示す例においては、基礎１の外面１Ｃに凹凸模様１Ｄが形成されている。この凹凸模様１Ｄは、例えば前記したような種々の方法により形成することができるが、特に前記特願平７−２３０９８号に記載された方法が好適である。この方法においては、表裏面に凹凸形状を有する薄板をコンクリート型枠の内側面に沿って配置した状態でコンクリートの打設を行い、これによって上記薄板の凹凸形状を基礎コンクリートの表面に転写するようにしている。上記薄板としては、例えば、ポリスチレン、ポリプロピレン、ポリエチレン等の非発泡の合成樹脂、耐水紙等よりなり、真空成形等により成形された厚さ０．３乃至４．０mm程度の薄板が例示される。この方法によれば、コンクリート型枠とは別の安価な薄板を用い、かつ該薄板を再利用することも可能であるため、製造コストおよび施工コストを低減することができる。
【００１３】
上記保護部材２は、雨による泥はね、直射日光や寒風、基礎１上での建物の工事に伴う該基礎１の損傷や汚れ、等から基礎１を保護するためのものである。この保護部材２としては特に限定されず、例えば、樹脂、木材、金属、紙等の材料よりなるフィルム、シート、プレート等が使用できる。ここに示す実施形態では、樹脂よりなる段ボール（プラスチック段ボール）が用いられている。このプラスチック段ボールは、耐水性、クッション性、機械的強度等に優れるものである。
【００１４】
上記保護部材２の表面には、各種広告・宣伝やメッセージ等として、任意の文字、図形等を表示するようにしてもよい。この表示は、塗装、印刷等の周知の方法により施すようにすればよい。
【００１５】
上記保護部材２は、基礎１のフーチング１ａの上部（基礎１の垂直面とフーチング１ａの表面との境界部）から基礎１の上端までの部分を覆うようにして、基礎１の外面１Ｃに添設されている。保護部材２の上部は、係止金具３により基礎１の上部に係止され、保護部材２の下部は、基礎１と土Ｍとの間に挿入することにより係止されている。
【００１６】
上記係止金具３は、図２に示すように、上部に係止片３１、下部に挿入片３２をそれぞれ有する金属製の薄板（厚さ約０．５mm程度）となっている。
【００１７】
係止片３１は、縦長の略長方形状に形成され、その左右両端縁の略中央部に、Ｖ字状の切欠３１１がそれぞれ形成されている。この切欠３１１は、図１の矢印Ａ２に示すように係止片３１を保護部材２の上端縁に沿って折曲する際に、当該部位を容易に折曲し得るようにするためのものである。
【００１８】
挿入片３２も略長方形状に形成され、その上端の左右両側に、突起部３２１がそれぞれ形成されている。突起部３２１は、挿入片３２上端の両側から、それぞれ上方へむかって漸次先鋭化するように延びる三角形状に形成されている。挿入片３２において、突起部３２１との境界部における左右両端縁には、Ｖ字状の切欠３２２が形成されており、これにより突起部３２１を容易に折曲し得るようになっている。
【００１９】
係止片３１と挿入片３２との間には、脆弱部３３が形成されている。脆弱部３３は、係止片３１の下端縁の中央部から、挿入片３２の上端縁の中央部まで垂直に延びる幅狭の部位となっており、該脆弱部３３で係止片３１と挿入片３２とが連結されている。
【００２０】
上記脆弱部３３は、係止金具３により保護部材２の上部を基礎１の上部に係止した際に、該保護部材２を保持しておくことができる強度を有しているが、該脆弱部３３は上記したように幅狭（約２mm程度）に形成されているため、保護部材２を脱離させる際には、係止片３１を左右に揺動させることにより、該係止片３１を挿入片３２から容易に切り離すことができるようになっている。あるいは、該脆弱部３３を容易に変形させ得ることから、後記するように、係止片３１を切り離さずに、基礎１の上面と建物の軸組との間の間隙に押し込むようにすることもできる。
【００２１】
上記係止金具３は、基礎１のコンクリートを打設する際に、アンカーボルト１１と同様にコンクリート中にその下部を埋設するようにする。このとき、挿入片３２の両側の突起部３２１を前方または後方に（あるいは一方を前方に、他方を後方に）、略９０°折曲しておき、この状態で該挿入片３２をコンクリート中に埋設するようにする。後の工程において、コンクリートの表面にはレベラーが設けられるが、上記折曲した状態の突起部３２１は該レベラーの表面以下の深さにくるようにして、該突起部３２１が基礎１のコンクリート中に埋設されるようにする。これにより、挿入片３２が基礎１のコンクリートから脱離することを防止することができる。なおこのとき、脆弱部３３の全体がコンクリート中に埋設されることがないようにしておく。
【００２２】
上記保護部材２を基礎１に取り付ける際には、図１に示すように、保護部材２の下部を基礎１と土Ｍとの間に挿入するようにして該保護部材２を基礎１の外面１Ｃに沿って配置し、係止金具３の係止片３１の下端部（脆弱部３３）および中央部（切欠３１１形成部）を、それぞれ図中の矢印Ａ１、Ａ２に示すように該保護部材２の上部を覆うようにして折曲する。これにより、保護部材２が基礎１の外面１Ｃに添設される。
【００２３】
上記保護部材２を除去する際には、係止金具３の係止片３１を前記したように左右に揺動させることにより脆弱部３３の箇所で切り離して除去する。あるいは、係止片３１の折曲部分（切欠３１１より自由端側の部分）を水平な状態に戻して保護部材２の上端部を脱離させた後、該係止片３１の自由端側部分を切欠３１１の部位で折り返して固定端側部分に重ね、この状態で、脆弱部３３を変形させながら該係止片３１を建物の内側方向へ押し込み、基礎１の上面と建物の軸組との間の間隙に収容するようにする。ついで、保護部材２の下部を基礎１と土Ｍとの間から引き抜くようにして、該保護部材２を取り外す。このとき、係止金具３の挿入片３２は基礎１に埋設された状態で残り、さらに係止片３１を除去しない場合にはこれも収容されるようにして残るが、人目にはつかないため外観を損なうことはなく、また、挿入片３２は薄い小片であるため基礎１の強度を低下させることもない。
【００２４】
図３は、係止金具の他の例を示す正面図である。同図に示す係止金具３０は、縦長の長方形状の金属薄板（厚さ約０．５mm程度）の中央よりやや下方を両側からそれぞれＶ字状に切り欠いた形状を有し、これにより、上部に略五角形状（ホームベース状）の係止片３１０、下部に横長の長方形状の挿入片３２０がそれぞれ形成され、該係止片３１０と挿入片３２０との境界部が、幅狭（約２mm程度）の脆弱部３３０となっている。
【００２５】
上記係止金具３０は、脆弱部３３０がコンクリートの表面の高さ以上（レベラーの上面の高さ以上）に位置するようにして、基礎１のコンクリート中に埋設するようにする。
【００２６】
上記係止金具３０により保護部材２を基礎１に取り付ける際には、前記係止金具３の場合とほぼ同様にすればよい。一方、保護部材２を除去する際には、係止金具３０の係止片３１０を左右に揺動させることにより脆弱部３３０の箇所で切り離して除去すればよい。
【００２７】
この発明の方法において、係止金具としては、保護部材２を基礎１に脱離可能に係止し得るものであれば、上記各例のようなものに限定されるものではない。さらに、保護部材２を基礎１に取り付ける方法としても、係止金具を用いる方法に限定されるものではない。例えば、保護部材の上部に、脆弱部を有する耳部（延出部）を形成しておき、該耳部を基礎１のアンカーボルト１１に係止すること等も考えられる。また、基礎１の上面、さらには内面（屋内側表面）にも保護部材を取り付けるようにしてもよい。
【００２８】
以上に例示した方法によれば、建物の工事期間中に汚れや損傷から基礎を十分に保護しておくことができる。図４は、この発明の基礎の保護方法を適用した建物の施工方法の一例を示す模式図である。以下、同図に基づき、この建物の施工方法を順次説明する。
【００２９】
まず、図４（ａ）に示すように、構築が完了した後の基礎１の少なくとも外面（屋外側面）１Ｃに表面仕上げを施す。
【００３０】
ここに示す例においては、表面仕上げとして塗装を施すようにしているが、この塗装は、雨による泥はねやカビの発生、浸水等から基礎１を保護してその外観を良好な状態に維持するためのものであり、塗料としては撥水剤等が用いられる。なお本明細書において、「表面仕上げ」には、塗装以外にも、表面の補修等の周知の仕上げ作業が含まれる。
【００３１】
ここでは、基礎１の上での建物の工事を行う前の段階であるため、該基礎１の上の部分を避けるようにして塗装を行う必要はない。このため、必ずしも塗料をローラ、刷毛等により塗布する必要はなく、吹きつけ塗装を行うこともでき、したがって塗工作業を容易かつ効率良く行うことができる。ここに示す実施形態においては、図４（ａ）に示すように、スプレーＢにより吹きつけ塗装を行うようにしている。
【００３２】
また、例えば屋内側からの水分の侵入等を防止するため、基礎１の上面、さらには内面（屋内側表面）にも塗装を施すこともできる。
【００３３】
上記塗工作業において、塗料として例えば浸透型の撥水剤を用いる場合、該塗料の塗布量としては、０．３kg/m2 程度とすることが例示される。上記浸透型撥水剤は、素材内部に浸透することにより、素材と一体化して強固な撥水層を形成し、これによって良好な撥水性を示すことができ、また素材の外観を変化させることなく撥水層を形成することができる。この浸透型撥水剤としては、ＩＭコート ３７００ＳＨ（商品名；関西ペイント社製；グレー色）、ＩＭコート ２７０ＳＨ（商品名；関西ペイント社製；無色透明）等が例示される。グレー等の色つきの撥水剤は、コンクリートの補修跡、色ムラ等を隠蔽することができ、一方無色透明の撥水剤は、コンクリートの本来の素材感を生かすことができる。
【００３４】
ついで、図４（ｂ）に示すように、上記基礎１の仕上げ面を、保護部材２で被覆する。
【００３５】
上記保護部材２を基礎１に取り付ける方法は、前記図１に示す方法と同様とすればよい。
【００３６】
ついで、図４（ｃ）に示すように、上記基礎１上での建物の工事を行う。
【００３７】
このとき、基礎１には既に表面仕上げが施されているが、該基礎１は前記したように保護部材２で保護されているので、建物の工事中の作業に伴い仕上げ面が汚れや損傷を受けることは防止される。
【００３８】
図４（ｃ）においては、基礎１の上に外壁パネル４が取り付けられている。ここに示す例においては、この外壁パネル４は、軽量リップ溝形鋼よりなるフレーム（建物の軸組）４１に取付られており、図５に示すように、該フレーム４１の下面が、ファスナ４２を挟んで基礎１の上面に配置され、基礎１に設けられたアンカーボルト１１により接合されている。上記ファスナ４２は、垂直片４２ａと水平片４２ｂとを有する逆Ｔ字形の鋼製部材（厚さ９mm程度）となっており、該垂直片４２ａが隣接する外壁パネル４のフレーム４１の間に挿入され、該水平片４２ｂがフレーム４１の下面と基礎１の上面との間に挿入されている。該水平片４２ｂが挿入されていることにより、フレーム４１の下面と基礎１の上面との間には間隙Ｓが形成されており、したがって、前記図１に示す係止金具３の係止片３１を除去する際に該係止片３１を容易に揺動させることができる。隣接する外壁パネル４のフレーム４１の対向面部およびこれらの間のファスナ４２の垂直片４２ａにはボルトが挿通されナットにより締結されており、該フレーム４１の下面部およびファスナ４２の水平片４２ｂはアンカーボルト１１に挿通されナットにより締結されている。
【００３９】
上記基礎１上での建物の工事が完成した後、図４（ｄ）に示すように、上記基礎１から保護部材２を除去する。
【００４０】
上記保護部材２は、建物の工事が完了した段階であれば直ちに除去するようにしてもよいが、基礎１の保護をさらに十分なものとするため、工事完了後もできるだけ長く（例えば顧客への引き渡しの段階まで）基礎１に取り付けておくことが望ましい。
【００４１】
以上に例示した工程によれば、基礎１に表面仕上げを施した後に、該基礎１上での建物の工事を行うようにしているので、表面仕上げ作業を容易かつ効率良く行うことができる。表面仕上げを施した後の基礎１は保護部材２で被覆するようにしているので、建物の工事の間、直射日光、傷、汚れ等から基礎１を保護することができる。
【００４２】
【発明の効果】
以上のように、この発明の請求項１に記載の基礎の保護方法によれば、基礎の少なくとも外面に、保護部材を脱離可能に取り付けるようにしたので、建物の施工作業等に伴う汚れや損傷から基礎を十分に保護することができる。
【００４３】
加えて、保護部材の表面に各種広告・宣伝やメッセージ等の文字、図形等を表示すれば、建物の完成までの間、会社のイメージアップを図ることができ、また建設現場の美的環境の向上を図ることができる。
【００４４】
さらに、保護部材の上部を、基礎の上部に脱離可能に係止するとともに、保護部材の下部を土中に挿入するようにしたので、簡単な構造で容易に保護部材を基礎に取り付けることができる。
【００４５】
さらに、この発明の請求項２記載の基礎保護部材の係止金具によれば、挿入片と係止片とが幅狭の脆弱部により連結された構成となっているので、係止片を折曲する（または折曲した状態から元の状態に戻す）ことにより、保護部材を容易に基礎に着脱することができるとともに、係止片を脆弱部にて切り離す（あるいは脆弱部を変形させながら係止片を基礎と軸組との間の間隙に押し込む）ことにより容易に除去することができる。
【図面の簡単な説明】
【図１】  実施形態に係る基礎の保護方法を示す断面図。
【図２】  係止金具の一例を示す正面図。
【図３】  係止金具の他の例を示す正面図。
【図４】  建物の施工方法の一例を示す模式図。
【図５】  基礎の上に外壁パネルを取り付けた状態を示す一部切欠部分背面図。
【符号の説明】
１  基礎
１Ｃ  基礎外面（屋外側表面）
２  保護部材
３  係止金具
Ｍ  土
【図１】
0003635604.tif 000002
【図２】
0003635604.tif 000003
【図３】
0003635604.tif 000004
【図４】
0003635604.tif 000005
【図５】
0003635604.tif 000006